(57)【要約】【課題】本発明は、歯ブラシ殺菌器に関し、より詳細には、回動するカバーに磁性体を形成し、それに対応する本体にリードスイッチを形成して、カバーの開閉有無によって殺菌ランプが点灯し、歯ブラシが収納される収納箱が本体から分離可能で、殺菌ランプ用ホルダーにより殺菌ランプの交替が容易で、前記本体の下端に水受け空間が形成されたスタンドが着脱可能に形成されて、全体的に維持および補修が容易で、清潔状態維持および使用の便利性を有する歯ブラシ殺菌器に関する。【解決手段】本発明に係る歯ブラシ殺菌器は、一側が開放され、内部に歯ブラシが収納される本体と、前記本体の内部に形成され、歯ブラシを殺菌する紫外線発生手段および前記本体の開放された部位を開閉するため回動するカバーで構成された歯ブラシ殺菌器において、前記本体(１０)の内部に着脱され、面(１７２)の外周に側壁(１７４)が立てられ、前記面(１７２)には下方に所定長さ延長され、中央に歯ブラシが収納される歯ブラシホール(１７６)が多数形成されている収納箱(１７０)が備えられていることを特徴とする。【選択図】図１
2009528151.tif 000002
【特許請求の範囲】
【請求項１】
一側が開放され、内部に歯ブラシが収納される本体(１０)と、前記本体(１０)の内部に備えられ、歯ブラシを殺菌する紫外線発生手段(２０)および前記本体(１０)の開放された部位を開閉するように回動するカバー(３０)とで構成される歯ブラシ殺菌器において、
前記本体(１０)の内部に着脱され、面(１７２)の外周に側壁１７４が立てられ、前記面(１７２)には下方に所定長さ延長され、中央に歯ブラシが収納される歯ブラシホール(１７６)が多数形成されている収納箱(１７０)を含むことを特徴とする歯ブラシ殺菌器。
【請求項２】
前記収納箱(１７０)には、電動歯ブラシの歯ブラシ毛を収納できる電動歯ブラシホール(１７７)が多数形成されていることを特徴とする請求項１に記載の歯ブラシ殺菌器。
【請求項３】
前記収納箱(１７０)には、面(１７２)上で下方に延長され、中央に歯ブラシホール(１７６)が通孔された延長チューブ(１７５)が形成され、
前記延長チューブ(１７５)には、着脱可能に選択的に形成され、歯ブラシホール(１７６)より小さい直径の貫通孔が形成されているパッキング(１８０)が備えられていることを特徴とする請求項１に記載の歯ブラシ殺菌器。
【請求項４】
前記収納箱(１７０)の後面の側壁(１７４)には、殺菌ランプ(２１０)が挿入されるように面(１７２)に収納孔(１７３)が形成され、その両側にガイドホーム(１７９ａ)が形成されたガイド部材(１７９)と第２通気孔が多数形成され、前記ガイド部材(１７９)の下端部にはキャッチングホールが形成され、両側に切開部が形成された弾力部材(１７４ａ)が形成され、
前記収納箱(１７０)のガイド部材(１７９)に挿入され、中央に殺菌ランプ(２１０)が位置するように半円状で両側端部後方にガイド突起(１９２)が形成され、背面下端に弾力部材(１７４ａ)のキャッチングホールに掛けられるキャッチング部材(１９４)が形成された反射板(１９０)が備えられることを特徴とする請求項１に記載の歯ブラシ殺菌器。
【請求項５】
前記反射板(１９０)の内側上端に支持ホルダー(１９６)が形成されることを特徴とする請求項４に記載の歯ブラシ殺菌器。
【請求項６】
前記カバー(３０)の一側に磁性体(３２０)が形成され、
前記本体(１０)には、前記カバー(３０)が閉まっているとき磁性体(３２０)と対応する位置に、リードスイッチ(２３０)が形成されることを特徴とする請求項１に記載の歯ブラシ殺菌器。
【請求項７】
前記本体(１０)に、殺菌ランプ（２１０）が挿入されるソケット(１２６)の隣に複数の突起(１２７)が形成され、
前記突起(１２７)に挿入される突起孔(２２２)が形成され、底面にソケット(１２６)に挿入される電極ピンが形成されており、上端に殺菌ランプ(２１０)が固定されたホルダー(２２０)が備えられることを特徴とする請求項１に記載の歯ブラシ殺菌器。
【請求項８】
前記本体(１０)の下端には、所定高さを維持するスタンドが形成され、
前記スタンドは、本体(１０)の下端後方に固定される第１スタンド(１３０ａ)と、前記第１スタンド(１３０ａ)の前方に位置し、上面に所定深さの水受け空間(１３２)が形成されて、本体(１０)に着脱可能な第２スタンド(１３０ｂ)とで構成されることを特徴とする請求項１に記載の歯ブラシ殺菌器。
【請求項９】
前記紫外線発生手段(２０)にリミットスイッチがさらに供えられ、
前記本体(１０)の下端に、前記リミットスイッチを押す突出ピン(２４０)が下方に突出形成され、
前記本体(１０)が安定的に支持されるとき、前記突出ピン(２４０)が押されることにより、前記リミットスイッチが押されて、前記紫外線発生手段（２０）が作動する二重の安全装置が備えられることを特徴とする請求項１乃至請求項８のいずれか一つに記載の歯ブラシ殺菌器。
【請求項１０】
前記本体(１０)に、カバー(３０)の回動部材（３１０）を支持する支持部材(２５０)が形成され、
前記カバー(３０)に、本体(１０)で回動開閉可能に前記支持部材(２５０)により支持される回動部材(３１０)が形成され、
前記回動部材(３１０)は、一側の支持部材(２５０)に一側が固定され、他側にシェブロン状のカムを有する第１軸(３１２)と、前記第１軸(３１２)のシェブロン状のカムと対応するシェブロン状のカムが一側に設けられ、他側に軸が延長され、他側の支持部材(２５０)にスライドされるように形成される第２軸(３１４)と、前記第２軸(３１４)と前記支持部材(２５０)との間に設けられ、前記第２軸(３１４)に弾性力を提供するスプリング(３１６)と、で構成されることを特徴とする請求項１乃至請求項８のいずれか一つに記載の歯ブラシ殺菌器。
【請求項１１】
前記本体(１０)のどちらか一側には、ファン(１５０)が備えられることを特徴とする請求項１乃至請求項８のいずれか一つに記載の歯ブラシ殺菌器。
【請求項１２】
前記本体(１０)の両側面側壁(１２０ｂ)(１２０ｃ)の下端それぞれには、第２キャッチングホール(１２２)が形成され、
前記本体(１０)の第２キャッチングホール(１２２)に掛けられる第２キャッチャ(１２２ａ)が一側に設けられた歯磨きスタンド(１２２ｂ)が、両側面側壁のうちどちらかの側壁に備えられることを特徴とする請求項１乃至請求項８のいずれか一つに記載の歯ブラシ殺菌器。
【発明の詳細な説明】
【技術分野】
【０００１】
本発明は歯ブラシ殺菌器に関し、より詳細には、回動するカバーに磁性体を備え、それに対応する本体にリードスイッチを備えて、カバーの開閉有無によって殺菌ランプが点灯し、歯ブラシが収納される収納箱が本体から分離可能で、殺菌ランプ用ホルダーにより殺菌ランプの交替が容易で、前記本体の下端に水受け空間が形成されたスタンドが着脱可能に形成されて、全体的に維持補修が容易で、清潔状態の維持および使用の便利性を有する歯ブラシ殺菌器に関する。
【背景技術】
【０００２】
一般に歯ブラシ殺菌器は、殺菌ランプから照射される紫外線で歯ブラシ毛を殺菌する装置であって、本体と歯ブラシを収納する歯ブラシ掛けおよび殺菌ランプとで構成される。
【０００３】
従来の歯ブラシ殺菌器は、携帯が可能な携帯用歯ブラシ殺菌器と、浴室に備えて使用するスタンド式歯ブラシ殺菌器とで区分される。
【０００４】
前記スタンド式歯ブラシ殺菌器は、本体の内部に多数の歯ブラシを掛けられる歯ブラシ掛けが設けられ、前記歯ブラシ掛けの後方には歯ブラシ毛に紫外線を照射する殺菌ランプとこれを制御する制御部とが設けられ、前記本体の前面にはヒンジにより回動するカバーが設けられる。
【０００５】
また、前記本体の背面または下端には、壁に固定できる据置台が設けられるか、または底に立てられるように受け台が設けられる。
【０００６】
従来の歯ブラシ殺菌器は、本体の一側に殺菌ランプを制御するスイッチが設けられる。前記スイッチとしては大きくスライドスイッチまたはリミットスイッチが設けられる。
【０００７】
前記スライドスイッチは、本体の一側にスイッチが外部に突出形成されて、前記スイッチの位置によって電源を印加する方式である。しかし、使用者が頻繁にオン、オフを制御しなければならないという問題点から、最近は主にリミットスイッチ方式が使用される。
【０００８】
前記リミットスイッチは、本体とカバーが接触する位置に設けられて、前記カバーが前記本体を閉鎖するときリミットスイッチが押されて、殺菌ランプが点灯する。
【０００９】
しかしながら、前記の場合、カバーが開放された状態で本体のリミットスイッチを人為的に押したら、該押されたスイッチの信号により殺菌ランプが点灯して、紫外線が外部に照射されることにより、傷害を受けるおそれがあるという問題点がある。
【００１０】
また、本体の内部に設けられた殺菌ランプは、本体のソケットに結合して使用されるが、殺菌ランプを交替するためにソケットから前記殺菌ランプを分離するとき、結合部がよく破損する問題点がある。
【００１１】
特に、殺菌ランプが立方式で立てられた状態で使用される場合は、下端部がソケットに固定された状態なので、弱い衝撃または振動にも流動が大きく、よって本体にぶつかって破損する危険が大きく、場合によってはソケットに挿入された電極ピンが切断される問題点がある。
【００１２】
そして、歯ブラシを掛けるブラシ掛けは、通常多数の弾力片で構成され、前記弾力片らの間に歯ブラシを据え置くが、歯ブラシ毛が前記弾力片の上端に安着される状態を維持するので、前記弾力片らと歯ブラシ毛が安着される部位が変色する問題点と、汚染物質が歯ブラシ毛に転移するおそれがあるという問題点がある。
【００１３】
また、前記の問題点により、使用者は前記歯ブラシ掛けを頻繁に洗浄する必要がある。
【００１４】
さらに、前記本体の下方には別途の水受け台が備えられていないため、歯ブラシ掛けに掛けられている歯ブラシから脱水される水が下方に落下し、よって底を汚染させる問題点がある。
【発明の開示】
【発明が解決しようとする課題】
【００１５】
前記のような問題点を解決するための本発明に係る目的は、カバーに磁性体を備え、前記磁性体と対応する本体にリードスイッチを備えて、前記本体を閉鎖するカバーの回動のみにより殺菌ランプが作動し、本体にスイッチが突出していないため、人為的なスイッチング作動が防止されることで、紫外線が外部に放出されることを防止する歯ブラシ殺菌器を提供することにある。
【００１６】
本発明の他の目的は、殺菌ランプの下端に固定ホルダーを備えて、前記固定ホルダーを介して前記殺菌ランプが本体のソケットに挿入され、前記ホルダーは突起により固定されて前記殺菌ランプの固定力を増加させ、交替時に着脱を容易にする歯ブラシ殺菌器を提供することにある。
【００１７】
本発明の他の目的は、本体の内部に着脱され、多数の歯ブラシホールが形成され、後方に殺菌ランプが位置する部位に反射板が形成された収納箱を備えて、前記歯ブラシホールを通して歯ブラシが垂直に立ちながら歯ブラシ毛と接触する面がないので、汚染および変色を防止し、反射板を介して殺菌ランプの紫外線が広範囲に照射されることにより殺菌効率を増加させる歯ブラシ殺菌器を提供することにある。
【００１８】
本発明の他の目的は、本体の後方にファンを備えて、前記ファンの動作で発生した風が前記本体に流入されて、本体内部を乾燥し、殺菌ランプを放熱させることにより、殺菌効率が増加し、殺菌ランプの長時間利用を可能にする歯ブラシ殺菌器を提供することにある。
【００１９】
本発明の他の目的は、リミットスイッチとこれを押すピンとが本体の底面に突出しており、前記本体が底面に安着した状態を感知する二重の安全スイッチを形成して、殺菌ランプの人為的な作動を防止する歯ブラシ殺菌器を提供することにある。
【００２０】
本発明の他の目的は、本体の下端に水受け空間が形成されたスタンドが着脱されるように構成して、本体に収納される歯ブラシから脱水された水が任意に分散せず、スタンドに集まることにより、底が汚れることを防止する歯ブラシ殺菌器を提供することにある。
【課題を解決するための手段】
【００２１】
前記のような目的を達成するための本発明に係る歯ブラシ殺菌器は、一側が開放され、内部に歯ブラシが収納される本体と、前記本体の内部に構成され、歯ブラシを殺菌する紫外線発生手段および前記本体の開放された部位を開閉するように回動するカバーで構成された歯ブラシ殺菌器において、本体の内部に着脱され、面の外周に側壁が立てられ、前記面には下方に所定長さ延長され、中央に歯ブラシが収納される歯ブラシホールが多数形成されている収納箱が備えられることを特徴とする。
【００２２】
前記収納箱には、電動歯ブラシの歯ブラシ毛を収納できる電動歯ブラシホールが多数形成されており、前記収納箱には面上で下方に延長され、中央に歯ブラシホールが通孔された延長チューブが形成され、前記延長チューブには着脱可能に選択的に形成され、歯ブラシホールより小さい直径の貫通孔が形成されているパッキングが備えられることが好ましい。
【００２３】
前記収納箱の後面の側壁には、殺菌ランプが挿入されるように面に収納孔が形成され、その両側にガイドホームが形成されたガイド部材と第２通気孔が多数形成され、前記ガイド部材の下端部にはキャッチングホールが形成され、両側に切開部が形成された弾力部材が形成され、前記収納箱のガイド部材に挿入され、中央に殺菌ランプが位置するように半円状で両側端部後方にガイド突起が形成され、背面下端に弾力部材のキャッチングホールに掛けられるキャッチング部材が形成された反射板が備えられることが好ましい。
【００２４】
前記反射板の内側上端に支持ホルダーが備えられることが好ましい。
【００２５】
前記カバーの一側に磁性体が形成され、前記本体に、前記カバーが閉まったとき磁性体と対応する位置にリードスイッチ(lead switch)が形成が好ましい。
【００２６】
前記本体に、殺菌ランプが挿入されるソケットの隣に複数の突起が形成され、前記突起に挿入される突起孔が形成され、底面にソケットに挿入される電極ピンが形成されており、上端に殺菌ランプが固定されたホルダーが備えられることが好ましい。
【００２７】
前記本体の下端には、所定高さを維持するスタンドが形成され、前記スタンドは、本体の下端後方に固定される第１スタンドと、前記第１スタンドの前方に位置し、上面に所定深さの水受け空間が形成されて、本体に着脱可能な第２スタンドとで構成されることが好ましい 。
【００２８】
前記紫外線発生手段にリミットスイッチがさらに備えられ、前記本体の下端に、前記リミットスイッチを押す突出ピンが下方に突出形成され、前記本体が安定的に支持されるとき、前記突出ピンが押されることにより前記リミットスイッチが押されて、前記紫外線発生手段を作動させる二重の安全装置が備えられることが好ましい。
【００２９】
前記本体に、カバーの回動部材を支持する支持部材が備えられ、前記カバーに、本体で回動開閉可能に前記支持部材により支持される回動部材が備えられ、前記回動部材は、一側の支持部材に一側が固定され、他側にシェブロン状のカムを有する第１軸と、前記第１軸のカムシェブロンと対応するカムシェブロンが一側に設けられ、他側に軸が延長され、他側の支持部材にスライドされるように形成される第２軸、および前記第２軸と前記支持部材との間に設けられ、前記第２軸に弾性力を提供するスプリングで構成されることが好ましい。
【００３０】
前記本体のどちらか一側には、ファンが備えられることが好ましい。
【００３１】
前記本体の両側面側壁の下端それぞれには、第２キャッチングホールが形成され、前記本体の第２キャッチングホールに掛けられる第２キャッチャが一側に設けられた歯磨きスタンドが両側面側壁のうちどちらかの側壁に備えられることが好ましい。
【発明の効果】
【００３２】
本発明は、カバーに磁性体を備え、前記磁性体と対応する本体にリードスイッチを備えて、前記本体を閉鎖するカバーの回動のみにより殺菌ランプが点灯し、さらに、本体にスイッチが突出しないため、人為的なスイッチング作動が防止されることにより、紫外線が外部に放出されることを防止する効果がある。
【００３３】
また、殺菌ランプは、下端に備えられた固定ホルダーを介して本体のソケットに挿入され、且つ前記ホルダーは突起により固定されることで、前記殺菌ランプの固定力を増加させ、交替時に着脱を容易にする効果がある。
【００３４】
また、本体の内部に着脱され、多数の歯ブラシホールが形成されており、後方に殺菌ランプが位置する部位に反射板が形成された収納箱を備えて、前記歯ブラシホルダーを通して歯ブラシが垂直に立てられながらも、歯ブラシ毛が触れる部分がないので、汚染および変色を防止し、反射板を介して殺菌ランプの紫外線が広範囲に照射されることにより殺菌効率がさらに向上する効果がある。
【００３５】
また、本体の後方にファンを備えて、前記ファンの動作で発生した風が、前記本体に流入されて本体内部を乾燥し、殺菌ランプを放熱させることにより、殺菌効率を高め、殺菌ランプの長時間使用を可能にする効果がある。
【００３６】
また、リミットスイッチとこれを押すピンが本体の底面に突出しており、前記本体が底面に安着された状態を感知する二重の安全スイッチを構成して、殺菌ランプの人為的な作動を防止する効果がある。
【００３７】
また、本体の下端に着脱可能な水受け台を備えて、本体に収納される歯ブラシから落下した水が任意に分散せず、水受け台に集まることにより、底面の汚染を防止する効果がある。
【発明を実施するための最良の形態】
【００３８】
以下、添付の図面を参照して本発明を詳細に説明する。
【００３９】
図１は、歯ブラシ殺菌器の分解斜視図であって、図２は、カバーが回動した歯ブラシ殺菌器の結合斜視図であって、図３は、カバーが閉まっている歯ブラシ殺菌器の縦断面図である。前記の図面を参照すると、歯ブラシ殺菌器は、一側が開放され、歯ブラシが収納される本体１０と、前記本体１０に設けられ、紫外線を発生する紫外線発生手段２０と、前記本体１０の開放された部位を開閉するカバー３０とで構成される。
【００４０】
前記本体１０は、底面１１０と前記底面１１０の外周に側壁１２０ａ、１２０ｂ、１２０ｃ、１２０ｄが立てられて内部に収納空間が形成され、前記本体１０は、垂直に両分されてこれを結合する構成になっている。これは、一般の技術的思想なので、これに対する説明は省略する。
【００４１】
図４は、本体から第２スタンドを分離した底面斜視図であり、図５は、第２スタンドおよび据置台を分離した底面拡大図であり、図６は、図５の第２スタンドと据置台が結合した状態を示す断面図である。前記の図面を参照すると、前記底面１１０には多数の排出孔１１２が形成され、前記底面１１０の下端に延長され、所定の高さを維持するスタンドが設けられる。前記スタンドは、底面１１０の後方に固定される第１スタンド１３０ａと、前記第１スタンド１３０ａの前方に位置し、前記底面１１０から着脱される第２スタンド１３０ｂとで構成される。
【００４２】
前記第２スタンド１３０ｂには、所定深さで陥没し、排出孔１１２を通して排水される水が集まる水受け空間１３２が形成される。
【００４３】
なお、前記第２スタンド１３０ｂの着脱構造を見ると、第２スタンド１３０ｂの上面に複数貫通された第１キャッチングホール１３４が形成され、上面前方には弾力を有し、後方にキャッチャが形成された弾力片１３６が形成され、これに対応する底面１１０の下面には第１キャッチャ１１４とキャッチング突起１１６が形成されている。
【００４４】
前記第２スタンド１３０ｂの着脱構造は、上面にガイド溝を形成し、前記ガイド溝に案内されるガイド突起が底面１１０の下面に突出するように形成することも可能である。
【００４５】
前記前面の側壁１２０ａには、殺菌ランプおよびファンの作動状態を表示する表示部が形成される。
【００４６】
また、前記両側面の側壁１２０ｂ，１２０ｃの下方には、第２キャッチングホール１２２がそれぞれ形成されており、前記第２キャッチングホール１２２に掛けられる第２キャッチャ１２２ａが一側に形成された歯磨きスタンド１２２ｂが備えられる。
【００４７】
さらに、前記歯磨きスタンド１２２ｂが両側面の側壁１２０ｂ、１２０ｃのうちどちらかの側壁に掛けられて固定されると、他の側壁の前記第２キャッチングホール１２２を閉鎖するパッキングを備えることが好ましい。
【００４８】
図７は、本体から収納箱を分離した一部拡大斜視図であり、図８は、図７の本体から収納箱を分離した一部拡大断面図であり、図９は、図８の本体と収納箱が結合した一部拡大断面図であり、図１０は、収納箱から反射板を分離した拡大断面図である。前記の図面を参照すると、前記後面の側壁１２０ｄには、紫外線発生手段２０の回路基板が収納されるように内側に陥没して所定高さの段差部１２４が形成され、その陥没した分空間が形成され、前記空間を閉鎖する仕上げパネル１４０後方に締結固定される。
【００４９】
また、前記後面側壁１２０ｄの段差部１２４の上端には、回路基板と連結され、殺菌ランプが挿入されるソケット１２６が形成されており、前記ソケット１２６の両側には、突起１２７が形成されている。
【００５０】
また、前記後面側壁１２０ｄの内側の上方にはファン１５０が固定され、前記ファン１５０が位置する側壁１２０ｄには多数の第１通気孔１２８が形成される。前記ファン１５０は殺菌ランプが挿入され立つ位置の後方に設けられることが好ましい。
【００５１】
一方、前記後面の側壁１２０ｄ後方には、据置台１６０が着脱可能に固定され、前記据置台１６０には前方に突出する第３キャッチャ１６２が多数形成され、面上に貫通された締結孔１６４が多数形成され、下端には前方に突出した支持板１６６とが形成され、その背面には両面テープ１６８が付着されている。
【００５２】
また、前記後面の側壁１２０ｄには、前記据置台１６０の第３キャッチャ１６２が挿入固定される第３キャッチングホール１２９が形成されている。
【００５３】
さらに、前記後面の側壁１２０ｄの上端には、カバー３０の回動部材の両端を支持する支持部材１２５が形成されている。
【００５４】
図７乃至図１０を参照すると、前記本体１０の内部収納空間に着脱され、多数の歯ブラシを収納する収納箱１７０が備えられる。
【００５５】
前記収納箱１７０は、面１７２の外周に立てられる側壁１７４が形成されたキャップ形状をしている。前記面１７２には歯ブラシが挿入される歯ブラシホール１７６または電動歯ブラシ用歯ブラシの収納ができるように、中央に突出片が形成された電動歯ブラシホール１７７が多数形成され、前記歯ブラシホール１７６および電動歯ブラシホール１７７を多数組み合わせて形成することが好ましい。
【００５６】
さらに、前記本体１０には、前記収納箱１７０が本体１０の内部に収納されるときこれを支持するため、支持片(図示せず)が本体１０の内側に多数形成されることが好ましい。
【００５７】
ここで、前記収納箱１７０の設置高さは、歯ブラシホール１７６に歯ブラシを収納したとき、前記歯ブラシが底面１１０に支持されて立ち、歯ブラシ毛が面１７２に当たらない程度の高さを有することが好ましい。
【００５８】
また、収納箱１７０の固定力を高めるため、本体１０の後面側壁１２０ｄの後方で締結螺子を介して前記収納箱１７０を締結固定することが好ましい。
【００５９】
さらに、前記面１７２の下方に延長される延長チューブ１７５が形成される。前記延長チューブ１７５の中央には歯ブラシホール１７６が貫通形成されており、前記面１７２は所定角度傾いていることが好ましい。
【００６０】
特に、前記延長チューブ１７５には、下端に挟まれる内径と中央に前記歯ブラシホール１７６より小さい直径を有する貫通孔が形成されたパッキング１８０が備えられる。前記パッキング１８０は、子供用歯ブラシのように小さいサイズや短い丈の歯ブラシの収納のとき、前記歯ブラシホール１７６に陥没することを防止し、これは選択的に使用される。
【００６１】
また、前記パッキング１８０は、軟質のシリコンまたはゴム材で形成されることが好ましい。
【００６２】
また、前記収納箱１７０の後面側壁１７４には、多数の第２通気孔１７８および、面１７２に殺菌ランプの疎通のための収納孔１７３が形成されており、前記収納孔１７３の両側には、ガイド溝１７９ａが形成されたガイド部材１７９が立てられる。
【００６３】
さらに、前記ガイド部材１７９には、ガイド溝１７９ａに案内されるガイド突起１９２が両側に形成され、中央に半円状の内側空間が形成され、その背面にはキャッチング部材１９４が形成された反射板１９０が備えられる。
【００６４】
この場合、後面の側壁１７４には、前記反射板１９０のキャッチング部材１９４と対応する位置に、弾力を有して、キャッチング部材１９４が挿入固定されるようにする弾力部材１７４ａが形成される。
【００６５】
そして、前記反射板１９０の内側空間上端には、内部に空間が形成された支持ホルダー１９６が固定される。前記支持ホルダー１９６は、殺菌ランプが反射板１９０の内側に位置するとき、殺菌ランプの上端を支持する。
【００６６】
場合によっては、前記支持ホルダー１９６を別途に備えず、反射板１９０の内側空間を一部切開してから、これを内側に折曲させて、中央に空間が形成されるようにすることも可能である。
【００６７】
また、前記反射板１９０は、半円状の内側空間または全体に反射物質がコーティングされて、殺菌ランプから照射される紫外線が広範囲に照射されるように形成することが好ましい。
【００６８】
紫外線発生手段２０は、殺菌ランプ２１０、スイッチ、これらを制御する回路基板、および電源供給部で構成される。
【００６９】
そして、前記殺菌ランプ２１０の下端には、前記殺菌ランプ２１０を支持するホルダー２２０が備えられる。前記ホルダー２２０には、ソケット１２６の両側に突出した突起１２７に挿入支持されるように、両側に突起孔２２２が形成されており、その底面には電極ピンが備えられる。
【００７０】
さらに、スイッチは、磁化する状態によってオン、オフ信号を発生するリードスイッチ２３０で構成されることが好ましい。前記リードスイッチ２３０は、カバー３０の一側に設けられる磁性体の位置により変更可能である。
【００７１】
この場合、前記リードスイッチ２３０は、本体１０の後面側壁１２０ｄの上端または前面側壁１２０ａの上端に設けられることが好ましい。
【００７２】
また、前記リードスイッチ２３０は、１次的な安全装置であり、２次的な安全装置のリミットスイッチ(図示せず)をさらに含むことが好ましい。
【００７３】
前記リミットスイッチは、回路基板の下端部に位置し、前記リミットスイッチを押す突出ピン２４０が本体１０の底面１１０の下方に突出するが、スタンドよりもっと突出するように形成することが好ましい。
【００７４】
これは、本体１０を地面に立てたとき、前記突出ピン２４０が地面に押されて、前記リミットスイッチを押して、オン信号が伝送されるようにし、もし前記本体１０が倒れた場合のように、突出ピン２４０が突出した状態を維持するときはオフ信号が伝送されることにより、リードスイッチ２３０からオン信号が伝送しても殺菌ランプ２１０およびファン１５０が作動されないようにするためである。
【００７５】
また、前記本体１０を据置台１６０に置いた状態では、前記据置台１６０の下端支持板１６６に突出ピン２４０が押されるようにする。
【００７６】
カバー３０の一端には、本体１０の開放された上端を開閉するように支持部材１２５に支持される回動部材３１０が形成される。前記回動部材３１０は、前記カバー３０が所定角度以上で開閉されるとき、自動に開閉されるようにするカム方式構造で形成されることが好ましい。
【００７７】
図１１は、カバーの回動部材のカム方式構造を示した一部拡大断面図であって、カムが最下点に位置した状態を示し、図１２はカムが最上点に位置した状態を示している。前記の図面を参照すると、前記カム方式構造は、一側の支持部材１２５に一端が固定され、他端にシェブロン状のカムが形成された第１カム軸３１２と、前記第１カム軸３１２シェブロン状のカムと対応するシェブロン状のカムが一端に形成され、他端に延長される軸が他側の支持部材１２５に回動可能に形成される第２カム軸３１４と、前記第２カム軸３１４に弾性力を提供し、第２カム軸３１４と支持部材１２５との間に設けられるスプリング３１６とで構成される。
【００７８】
すなわち、前記第１カム軸３１２の最上点と第２カム軸３１４の最下点とが触れ合う形になり、前記第２カム軸３１４の回動で最上点が触れ合う状態での第２カム軸３１４は、支持部材１２５の挿入空間にスライド可能に形成されている。
【００７９】
そして、前記第１カム軸３１２は、カバー３０の開閉動作とは関係なく支持部材１２５に固定され、前記第２カム軸３１４は、カバー３０の回動方向と同一に回動するように挟まることが好ましい。
【００８０】
また、磁性体３２０は、前記カバー３０が閉まっているときリードスイッチ２３０を磁化させる位置に設けられることが好ましく、回動部材３１０の一側に設けられるか、または図１３のように、回動部材３１０の向かい側のカバー３０の端部に設けられることが好ましい。
【００８１】
以下、前記のように構成された歯ブラシ殺菌器の組立状態を説明する。
【００８２】
本体１０の後面側壁１２０ｄにファン１５０が設けられ、その前方に殺菌ランプ２１０の下端のホルダーによりソケット１２６の突起１２７に挿入固定される。
【００８３】
また、前記本体１０の内部には収納箱が１７０が収納される。前記収納箱１７０のガイド部材１７９に挟まる反射板１９０のキャッチング部材１９４が弾力部材１７４ａに固定された状態で、収納孔１７３を通して殺菌ランプ２１０が収納されて、前記殺菌ランプ２１０の後方に反射板１９０が位置する。
【００８４】
さらに、前記殺菌ランプ２１０の上端部は、前記反射板１９０に形成された支持ホルダー１９６の空間に挿入されることにより支持される。
【００８５】
以下、前記のように組み立てられた歯ブラシ殺菌器の使用状態を説明する。
【００８６】
まず、歯ブラシ殺菌器の設置位置によって、据置台１６０を分離した状態で地面に立てるか、または前記据置台１６０を壁に掛ける。
【００８７】
このとき、前記据置台１６０は、両面テープ１６８や、締結孔１６４を通して螺子や釘で固定する。前記固定された据置台１６０の前方に突出した第３キャッチャ１６２に本体１０の第３キャッチングホール１２９が掛けられて、前記据置台１６０に本体１０が据え置かれた状態を維持し、前記据置台１６０の下端に延長された支持板１６６が突出ピン２４０を押す。以下、このように本体１０が据え置かれた状態を説明する。
【００８８】
前記支持板１６６により押された突出ピン２４０により、リミットスイッチ(図示せず)はオン信号を紫外線発生手段２０の回路に伝送する。
【００８９】
そして、カバー３０を回動させて開放させると、前記カバー３０に設けられた回動部材３１０のカム方式により所定角度以上開放されると自動に開放される。
【００９０】
これを詳細に説明すると、第１カム軸３１２のシェブロン状のカムに密着された第２カム軸３１４がカバー３０の開放角度によって所定角度回転し、前記第１カム軸３１２と第２カム軸３１４がシェブロン状のカムの最上点に位置したとき、スプリング３１６は最大の圧縮力と共に反発力を有し、以降最上点から外れる回転角度を与えると、前記スプリング３１６の圧縮力による反発力が第２カム軸３１４に作用し、これによって第２カム軸３１４は自動に最下点に回転する。
【００９１】
したがって、第２カム軸３１４と共に回転するカバー３０が完全開放をするようになる。
【００９２】
前記のように本体１０からカバー３０の開放が完了したら、収納箱１７０の歯ブラシホール１７６に収納された歯ブラシを取って使用でき、使用が完了したら再び歯ブラシを歯ブラシホール１７６に収納する。
【００９３】
そして、前記収納箱１７０の歯ブラシホール１７６に収納される歯ブラシは、歯ブラシホール１７６を通して歯ブラシの下端部が底面１１０に当たって、このとき歯ブラシは垂直に立った状態で、歯ブラシ毛が収納箱１７０の面１７２に当たらない状態を維持する。
【００９４】
また、前記収納箱１７０に歯ブラシの収納が完了したら、前記開放されたカバー３０を逆に回動させて、本体１０の上端を閉鎖する。この場合、回動部材３１０を前述した方法の逆順で所定角度以上回動させると自動にカバー３０が閉まる。
【００９５】
特に、前記閉まるカバー３０の回動部材３１０には磁性体３２０が設けられ、前記カバー３０の閉まった状態で磁性体３２０は下方に位置し、前記磁性体３２０の下方には本体１０に結合されたリードスイッチ２３０が位置するので、前記磁性体３２０の磁力によりリードスイッチ２３０は磁化して、オン信号を伝送する。
【００９６】
前記リードスイッチ２３０から伝送されたオン信号と、据置台１６０の支持板１６６に押された突出ピン２４０によるリミットスイッチ(図示せず)のオン信号の伝送で、二つの条件が満足された回路基板で、殺菌ランプ２１０とファン１５０に電源を印加して作動させる。
【００９７】
したがって、前記殺菌ランプ２１０から照射される紫外線により歯ブラシ毛が殺菌され、ファン１５０からの風により歯ブラシが迅速に乾燥して殺菌効率が向上し、前記殺菌ランプ２１０の後方に設けられた反射板１９０により紫外線を増幅反射することにより、殺菌効率が倍になる。
【００９８】
そして、前記殺菌ランプ２１０とファン１５０は、所定時間の間だけ作動することが好ましい。
【００９９】
また、前記収納箱１７０に収納された歯ブラシから排出される水気は、底面１１０に形成された排出孔１１２を通して下方に落下し、第２スタンド１３０ｂの水受け空間１３２に収集されることで、従来の水気がそのまま下方に落下することによる周辺の汚染を防止する。
【０１００】
一方、前記歯ブラシ殺菌器の長時間使用により収納箱１７０の洗浄が必要な場合、据置台１６０から本体１０を離脱させてから、後面の側壁１２０ｄの後方で収納箱１７０を固定している締結螺子を解体した後カバー３０を開放して、前記収納箱１７０を離脱させる。
【０１０１】
そして、離脱された収納箱１７０は洗浄が容易であり、なお、延長チューブ１７５の下端にパッキング１８０を挿入して、子供用歯ブラシのようにサイズの異なる歯ブラシの使用も可能となる。
【０１０２】
また、歯ブラシ殺菌器は、リードスイッチを介して正確なカバーの閉まりを感知して、紫外線が任意に外部に照射されることを防止し、リミットスイッチを介して二重の安全装置を設けて、紫外線の外部放出および電力消耗を最少化する。
【０１０３】
さらに、本体から収納箱を着脱できるので、清潔状態維持および歯ブラシの密着による変色を防止することができ、反射板による紫外線の増幅で殺菌効率が向上される。
【０１０４】
図１３は、本発明の他の実施例に係るカバーが開放された歯ブラシ殺菌器の斜視図である。図１３を参照すると、本体１０の前面側壁に回動部材３１０を支持する支持部材１２５が形成され、後面側壁にリードスイッチ２３０が設けられている。
【０１０５】
また、カバー３０は、前記本体１０の支持部材１２５に支持される回動部材３１０が前面下端に備えられ、特に磁性体３２０は、前記カバー３０の後方端部に設けられて、カバー３０の開放と閉鎖を感知する。
【０１０６】
以上説明したのは、本発明の歯ブラシ殺菌器を実施するための一つの実施例に過ぎないものであって、本発明は前記の実施例に限定されるのではなく、特許請求の範囲で請求する本発明の要旨から外れず、本発明の属する分野で通常の知識を有する者であれば、誰でも多様な変更実施が可能な範囲にまで本発明の技術的精神があるというべきである。
【図面の簡単な説明】
【０１０７】
【図１】本発明に係る歯ブラシ殺菌器の分解斜視図である。
【図２】本発明に係るカバーが回動した歯ブラシ殺菌器の結合斜視図である。
【図３】本発明に係るカバーが閉まっている歯ブラシの縦断面図である。
【図４】本発明に係る本体から第２スタンドを分離した底面斜視図である。
【図５】本発明に係る本体から第２スタンドおよび据置台を分離した底面拡大図である。
【図６】図５の第２スタンドと据置台が結合した状態を示す断面図である。
【図７】本発明に係る本体から収納箱を分離した一部拡大斜視図である。
【図８】図７の収納箱を分離した一部拡大断面図である。
【図９】本発明に係る本体と収納箱が結合した一部拡大断面図である。
【図１０】本発明に係る収納箱から反射板を分離した拡大断面図である。
【図１１】本発明に係るカバーの回動部材のカム方式構造においてカムが最下点に位置した状態を示す一部拡大断面図である。
【図１２】本発明に係るカバーの回動部材のカム方式構造においてカムが最上点に位置した状態を示す一部拡大断面図である。
【図１３】本発明の他の実施例に係るカバーが開放された歯ブラシ殺菌器の斜視図である。
【符号の説明】
【０１０８】
１０：本体            
２０：紫外線殺菌手段
３０：カバー        
１１０：底面
１２０ａ、１２０ｂ、１２０ｃ、１２０ｄ：側壁
１３０ａ、１３０ｂ：第１および第２スタンド
１４０：仕上げパネル    
１５０：ファン
１６０：据置台            
１７０：収納箱
１８０：パッキング        
１９０：反射板
２１０：殺菌ランプ        
２２０：ホルダー
３１０：回動部材          
３２０：磁性体
【図１】
2009528151.tif 000003
【図２】
2009528151.tif 000004
【図３】
2009528151.tif 000005
【図４】
2009528151.tif 000006
【図５】
2009528151.tif 000007
【図６】
2009528151.tif 000008
【図７】
2009528151.tif 000009
【図８】
2009528151.tif 000010
【図９】
2009528151.tif 000011
【図１０】
2009528151.tif 000012
【図１１】
2009528151.tif 000013
【図１２】
2009528151.tif 000014
【図１３】
2009528151.tif 000015
【国際調査報告】
2009528151.tif 000016
2009528151.tif 000017